【手続補正書】
【提出日】平成21年10月16日(2009.10.16)
【手続補正１】
【補正対象書類名】特許請求の範囲
【補正対象項目名】全文
【補正方法】変更
【補正の内容】
【特許請求の範囲】
【請求項１】
光学的一軸性または光学的二軸性を有する透明セルロースエステルフイルムからなる光学補償シートであって、該透明セルロースエステルフイルムの波長５５０ｎｍで測定した面内レターデーション（Ｒｅ）が２０乃至２００ｎｍの範囲にあり、該透明セルロースエステルフイルムの波長５５０ｎｍで測定した厚み方向のレターデーション（Ｒth）が、２０乃至２００ｎｍの範囲にあり、該透明セルロースエステルフイルムの波長５５０ｎｍで測定した面内レターデーション（Ｒｅ）のフイルム面に沿った機械方向に垂直な幅方向における変動が幅方向におけるＲｅの平均値を基準として±５ｎｍの範囲内にあり、かつ厚み方向のレターデーション（Ｒth）のフイルム面に沿った機械方向に垂直な幅方向における変動が幅方向におけるＲthの平均値を基準として±１０ｎｍの範囲内にあることを特徴とする光学補償シート。
【請求項２】
ＶＡ液晶表示装置用である請求項１に記載の光学補償シート。
【請求項３】
該光学補償シートの波長５５０ｎｍで測定した面内レターデーション（Ｒｅ）が２０乃至２００ｎｍの範囲にあり、該光学補償シートの波長５５０ｎｍで測定した厚み方向のレターデーション（Ｒth）が、７０乃至５００ｎｍの範囲にある請求項１に記載の光学補償シート。
【請求項４】
ＶＡモードの液晶セルおよびその両側に配置された二枚の偏光板からなり、偏光板が偏光膜およびその両側に配置された二枚の透明保護膜からなる液晶表示装置であって、液晶セルと偏光膜の間に配置された二枚の透明保護膜のうちの少なくとも一方が、光学的一軸性または光学的二軸性を有する透明セルロースエステルフイルムからなる光学補償シートであって、該透明セルロースエステルフイルムの波長５５０ｎｍで測定した面内レターデーション（Ｒｅ）が２０乃至２００ｎｍの範囲にあり、該透明セルロースエステルフイルムの波長５５０ｎｍで測定した厚み方向のレターデーション（Ｒth）が、２０乃至２００ｎｍの範囲にあり、該透明セルロースエステルフイルムの波長５５０ｎｍで測定した面内レターデーション（Ｒｅ）のフイルム面に沿った機械方向に垂直な幅方向における変動が幅方向におけるＲｅの平均値を基準として±５ｎｍの範囲内にあり、かつ厚み方向のレターデーション（Ｒth）のフイルム面に沿った機械方向に垂直な幅方向における変動が幅方向におけるＲthの平均値を基準として±１０ｎｍの範囲内にあることを特徴とするＶＡ液晶表示装置。
【請求項５】
該光学補償シートの波長５５０ｎｍで測定した面内レターデーション（Ｒｅ）が２０乃至２００ｎｍの範囲にあり、該光学補償シートの波長５５０ｎｍで測定した厚み方向のレターデーション（Ｒth）が、７０乃至５００ｎｍの範囲にある請求項４に記載のＶＡ液晶表示装置。
【手続補正２】
【補正対象書類名】明細書
【補正対象項目名】発明の名称
【補正方法】変更
【補正の内容】
【発明の名称】光学補償シートおよびＶＡ液晶表示装置
【手続補正３】
【補正対象書類名】明細書
【補正対象項目名】０００１
【補正方法】変更
【補正の内容】
【０００１】
本発明は、光学補償シート、およびそれを用いたＶＡ液晶表示装置に関する。
【手続補正４】
【補正対象書類名】明細書
【補正対象項目名】０００７
【補正方法】変更
【補正の内容】
【０００７】
本発明者は、透明フイルムの延伸処理条件を調節することにより、面内で光学特性が均一な光学補償シートが得られることがわかった。なお延伸処理条件の詳細については後述する。
本発明の目的は、下記（１）〜（３）の光学補償シート、および下記（４）、（５）のＶＡ液晶表示装置により達成された。
（１）光学的一軸性または光学的二軸性を有する透明セルロースエステルフイルムからなる光学補償シートであって、該透明セルロースエステルフイルムの波長５５０ｎｍで測定した面内レターデーション（Ｒｅ）が２０乃至２００ｎｍの範囲にあり、該透明セルロースエステルフイルムの波長５５０ｎｍで測定した厚み方向のレターデーション（Ｒth）が、２０乃至２００ｎｍの範囲にあり、該透明セルロースエステルフイルムの波長５５０ｎｍで測定した面内レターデーション（Ｒｅ）のフイルム面に沿った機械方向に垂直な幅方向における変動が幅方向におけるＲｅの平均値を基準として±５ｎｍの範囲内にあり、かつ厚み方向のレターデーション（Ｒth）のフイルム面に沿った機械方向に垂直な幅方向における変動が幅方向におけるＲthの平均値を基準として±１０ｎｍの範囲内にあることを特徴とする光学補償シート。
透明フイルムの面内レターデーションおよび厚み方向のレターデーションはそれぞれ下記（Ｉ）式および下記（II）式により定義される。
（Ｉ）Ｒｅ＝（ｎｘ−ｎｙ）×ｄ
（II）Ｒth＝｛（ｎｘ＋ｎｙ）／２−ｎｚ｝×ｄ
［式中、ｎｘおよびｎｙは、透明フイルムの面内屈折率であり、ｎｚは、厚み方向の屈折率であり、そしてｄは、透明フイルムの厚さである］。
【手続補正５】
【補正対象書類名】明細書
【補正対象項目名】０００８
【補正方法】変更
【補正の内容】
【０００８】
（２）ＶＡ液晶表示装置用である（１）に記載の光学補償シート。
（３）該光学補償シートの波長５５０ｎｍで測定した面内レターデーション（Ｒｅ）が２０乃至２００ｎｍの範囲にあり、該光学補償シートの波長５５０ｎｍで測定した厚み方向のレターデーション（Ｒth）が、７０乃至５００ｎｍの範囲にある（１）に記載の光学補償シート。
なお、本明細書において「遅相軸」とは、透明フイルムの面内において屈折率が最大となる方向を意味する。
また、本明細書において「延伸軸」とは、透明フイルムを延伸処理した方向を意味し、延伸処理が二軸以上の延伸の場合には最も高延伸倍率で延伸処理を行った延伸方向を意味する。遅相軸と延伸軸のなす角は、両軸がなす角の鋭角を示し、延伸軸を基準として正負を区別する。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】変更
【補正の内容】
【００１０】
光学補償シートの面内レターデーション（Ｒｅ）は下記（Ｉ）式により定義される。
（Ｉ）Ｒｅ＝（ｎｘ−ｎｙ）×ｄ
［式中、ｎｘおよびｎｙは、光学補償シートの面内屈折率であり、そしてｄは、光学補償シートの厚さである。］
光学補償シートの厚み方向レターデーション（Ｒth）は下記（II）式により定義される。
（II）Ｒth＝［｛（ｎｘ＋ｎｙ）／２｝−ｎｚ］×ｄ
［式中、ｎｘおよびｎｙは、光学補償シートの面内屈折率であり、ｎｚは、光学補償シートの厚み方向の屈折率であり、そしてｄは、光学補償シートの厚さである。］
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】変更
【補正の内容】
【００１２】
（４）ＶＡモードの液晶セルおよびその両側に配置された二枚の偏光板からなり、偏光板が偏光膜およびその両側に配置された二枚の透明保護膜からなる液晶表示装置であって、液晶セルと偏光膜の間に配置された二枚の透明保護膜のうちの少なくとも一方が、光学的一軸性または光学的二軸性を有する透明セルロースエステルフイルムからなる光学補償シートであって、該透明セルロースエステルフイルムの波長５５０ｎｍで測定した面内レターデーション（Ｒｅ）が２０乃至２００ｎｍの範囲にあり、該透明セルロースエステルフイルムの波長５５０ｎｍで測定した厚み方向のレターデーション（Ｒth）が、２０乃至２００ｎｍの範囲にあり、該透明セルロースエステルフイルムの波長５５０ｎｍで測定した面内レターデーション（Ｒｅ）のフイルム面に沿った機械方向に垂直な幅方向における変動が幅方向におけるＲｅの平均値を基準として±５ｎｍの範囲内にあり、かつ厚み方向のレターデーション（Ｒth）のフイルム面に沿った機械方向に垂直な幅方向における変動が幅方向におけるＲthの平均値を基準として±１０ｎｍの範囲内にあることを特徴とするＶＡ液晶表示装置。
（５）該光学補償シートの波長５５０ｎｍで測定した面内レターデーション（Ｒｅ）が２０乃至２００ｎｍの範囲にあり、該光学補償シートの波長５５０ｎｍで測定した厚み方向のレターデーション（Ｒth）が、７０乃至５００ｎｍの範囲にある（４）に記載のＶＡ液晶表示装置。
なお、本発明の光学補償シートは、液晶セルの寸法に応じて切断して（または打ち抜いて）用いてもよい。